(57)【要約】【課題】ＲＦＩＤを組み込んだ封印シールによって封印された基板保護ケースが不正に開放されたことによって封印シールに含まれるＲＦＩＤが破断、断線した場合に、封印シールを修復しようとしてもＲＦＩＤの通信機能の回復を困難化する。【解決手段】電子部品５１を搭載した制御基板５０を間に挟んで収容する開閉可能な２つのケース片１０、２０を有し、制御基板を一方のケース片により保持した状態で他方のケース片を該一方のケース片に対して開閉する基板保護ケース１と、他方のケース片が開放されたときに破断するように接着される封印シール３０と、を備え、封印シールは、一部を制御基板に接着されると共に、両ケース片の突き合わせ部から外部に引き出した他の部位を他方のケース片に接着されている。【選択図】図４
2010125266.tif 000002
【特許請求の範囲】
【請求項１】
電子部品を搭載した制御基板を間に挟んで収容する開閉可能な２つのケース片を有し、前記制御基板を一方のケース片により保持した状態で他方のケース片を該一方のケース片に対して開閉する基板保護ケースと、前記他方のケース片が開放されたときに破断するように接着される封印シールと、を備えた基板保護ケースの封印構造であって、
前記封印シールは、一部を前記制御基板に接着されると共に、両ケース片の突き合わせ部から外部に引き出した他の部位を前記他方のケース片に接着されていることを特徴とする基板保護ケースの封印構造。
【請求項２】
前記制御基板の面上は、搭載された電子部品を覆う電子部品カバーが固定されており、
前記封印シールの一部を前記電子部品カバーに接着したことを特徴とする請求項１に記載の基板保護ケースの封印構造。
【請求項３】
前記一方のケース片は前記制御基板の電子部品搭載面側に位置し、前記他方のケース片は前記電子部品非搭載面側に位置し、
前記封印シールの一端は前記電子部品搭載面に接着されると共に、前記封印シールの他端は前記制御基板及び前記他方のケース片の各端縁にて折り返されて前記他方のケース片の外側面に接着されていることを特徴とする請求項１、又は２に記載の基板保護ケースの封印構造。
【請求項４】
前記他方のケース片は前記制御基板の電子部品搭載面側に位置し、前記制御基板を保持した前記一方のケース片は前記電子部品非搭載面側に位置し、
前記封印シールの一端は前記電子部品搭載面に接着されると共に、前記両ケース片の突き合わせ部から外部に引き出した他端を前記他方のケース片の外面に接着されていることを特徴とする請求項１、又は２に記載の基板保護ケースの封印構造。
【請求項５】
前記他方のケース片は前記制御基板の電子部品搭載面側に位置し、前記制御基板を保持した前記一方のケース片は前記電子部品非搭載面側に位置し、
前記封印シールの一端は前記電子部品非搭載面に接着されると共に、前記両ケース片の突き合わせ部から外部に引き出した他端を前記他方のケース片の外面に接着されていることを特徴とする請求項１、又は２に記載の基板保護ケースの封印構造。
【請求項６】
前記２つのケース片が開放された時に前記封印シールと当接した部位を破断させる前記制御基板の端縁、又は／及び、前記他方のケース片の端縁を、破断促進形状としたことを特徴とする請求項１乃至５の何れか一項に記載の基板保護ケースの封印構造。
【請求項７】
前記封印シールは、接着シートと、該接着シート面に固定されたＩＣチップ、及び該ＩＣチップから延びる導体パターンを含んだＲＦＩＤと、を有していることを特徴とする請求項１乃至６の何れか一項に記載の基板保護ケースの封印構造。
【請求項８】
前記２つのケース片が開放されたことによって前記封印シールが破断したときに前記ＲＦＩＤが破断するように構成したことを特徴とする請求項７に記載の基板保護ケースの封印構造。
【請求項９】
前記一方のケース片に対して前記他方のケース片を、前記制御基板面と直交する方向へ移動させることにより、両ケース片は開閉可能に構成されていることを特徴とする請求項１乃至８の何れか一項に記載の基板保護ケースの封印構造。
【請求項１０】
前記一方のケース片に対して前記他方のケース片を、前記制御基板と並行な方向へスライドさせることにより、両ケース片は開閉可能に構成されていることを特徴とする請求項１乃至８の何れか一項に記載の基板保護ケースの封印構造。
【請求項１１】
前記一方のケース片に対して前記他方のケース片は回動軸を中心として開閉自在に軸支されていることを特徴とする請求項１乃至８の何れか一項に記載の基板保護ケースの封印構造。
【請求項１２】
請求項１乃至１１の何れか一項に記載の基板保護ケースの封印構造を備えたことを特徴とする遊技機。
【発明の詳細な説明】
【技術分野】
【０００１】
本発明は、パチンコ遊技機、スロットマシン等の各種遊技機に搭載されたＲＯＭを交換する等の不正行為のために基板保護ケースが開放された形跡を確実に残して不正行為を発見可能とし、効果的に予防することができる基板保護ケースの封印構造、及び遊技機に関する。
【背景技術】
【０００２】
パチンコ遊技機、スロットマシン等の各種遊技機に搭載されるＲＯＭを不正に取り換えることにより、遊技内容を遊技者に都合よく進行させて出球を獲得する不正行為が所謂ゴト師によって行われ、その手法は巧妙化している。
ＲＯＭの不正な取り換えは、工場から出荷された遊技機が遊技場に設置される以前の段階、或いは設置後に行われる可能性が高い。
このような不正行為に対する対策として特許文献１には、制御基板上のＲＯＭを包囲するケース体とカバー体とを分離不能な結合手段によって結合することにより、結合手段を破壊した場合にはその痕跡が必ず残るようにした技術が提案されている。
【０００３】
しかし、不正行為者の手口が日々巧妙化することにより、結合手段を破壊してＲＯＭを交換した後で、形跡が残らないように新たな結合手段を組み付ける可能性がある。
特許文献２にも不正防止のための装置構成が開示されているが、特許文献１の場合と同様の欠点を有している。
このような不具合に対処すべく、封印シールを用いて基板保護ケースを封印することが行われているが、カッタを用いて封印シールを切断してから基板保護ケースを開放し、ＲＯＭを交換して基板保護ケースを閉止してから封印シールの切断面を修復すると、目視によって切断箇所の有無を判別できなくなるケースが多々あった。そのような不具合に対処するため、ＲＦＩＤを組み込んだ封印シールが用いられるようになっている。
即ち、特許文献３には、識別情報を記憶したＲＦＩＤ（非接触型記憶媒体）を組み込んだ封印シールを基板保護ケースを構成するケース本体とケース蓋とに跨って接着することにより、基板保護ケースが不正に開放された場合にＲＦＩＤが破断、断線して識別情報の読取りが不可能となるようにした技術が開示されている。これによれば、読み取り装置を用いてＲＦＩＤに記憶された識別情報を読取ることができない場合に、不正に基板保護ケースが開放されたことを知ることができる。
特許文献４、５にも、ＩＣタグやテープ型のインレットを用いた同様の不正発見のための技術が開示されている。
【０００４】
図１２及び図１３は従来の基板保護ケースの構成を示す斜視図、及び分解斜視図である。内部に制御基板１２０を収容した基板保護ケース１００は、ケース本体１０１とケース蓋１０２とを接合させた構成を備えている。基板保護ケース１００の一端部に位置するケース本体とケース蓋との突き合わせ部１０３には封印シール１１０が両者に跨って接着されている。また、突き合わせ部１０３とは反対側の端部にはカシメピンによる締結部１３０が設けられており、封印シール１１０と締結部１３０による不正行為の防止対策が採られている。
封印シール１１０は一面に接着層を有した紙等の破断し易い材質から成る接着シート１１１と、接着シートに固定されたＲＦＩＤ（例えば、ＩＣタグ）１１２と、を備えている。ＲＦＩＤ１１２は、電力生成回路、変復調回路、記憶回路、制御回路を含むチップ１１３と、チップから反対方向に延びる二本の導体パターン１１４と、各導体パターン１１４の先端に接続されたアンテナ部１１５と、を有している。図示しない読み取り装置からＲＦＩＤ１１２に向けて読み取り用の電磁波を照射すると、チップ内の電力生成回路が電磁誘導作用により起電力を生成し、この起電力により作動する制御回路によって記憶回路内に記憶された識別情報を読み出してアンテナから読み取り装置へ送信することにより識別情報を読取ることができる。
ＲＦＩＤ１１２を構成する導体パターン１１４は接着シート１１１の対角線方向へ延びており、導体パターン１１４が突き合わせ部１０３と交差するように封印シールを接着しておくことにより、基板保護ケースが不正に開放された場合に導体パターンの一部が断線して記憶情報の読み出しを不可能とすることができる。
【０００５】
しかし、本出願人による実験によれば、基板保護ケースを開放する際に封印シール１１０が破れることによってＲＦＩＤ１１２を構成する導体パターンが一箇所だけ破断したとしても、基板保護ケースを再閉止する際に封印シールの状態を修復して破断部間の導通を回復させることが可能であった。
特に、直線的に延びる突き合わせ部１０３に沿ってカッタによって封印シール１１０を切断する過程で導体パターンを一箇所切断した場合には、後の修復作業によって導体パターンを再導通させることが比較的容易となる。
【特許文献１】特開２００６−１３０３５２公報
【特許文献２】特開２００７−１６０００４公報
【特許文献３】特開２０００−３３４１５４公報
【特許文献４】特許第４１２９９８５号
【特許文献５】特開２００８−３６２２８公報
【発明の開示】
【発明が解決しようとする課題】
【０００６】
以上のように、ＲＯＭを搭載した制御基板を収容する基板保護ケースが不正に開放された形跡が残るようにするために、ＲＦＩＤを組み込んだ封印シールによって基板保護ケースを封印する方法を採用した場合には、基板保護ケースの開放によって封印シール及びＲＦＩＤを一旦破断、断線させたとしても基板保護ケースの再閉止時に封印シールを修復してＲＦＩＤによる通信機能を回復させることが可能であった。
本発明は上記に鑑みてなされたものであり、ＲＦＩＤを組み込んだ封印シールによって封印された基板保護ケースが不正に開放されたことによって封印シールに含まれるＲＦＩＤが破断、断線した場合に、封印シールを修復しようとしてもＲＦＩＤの通信機能の回復を困難化することができる基板保護ケースの封印構造、及びこの基板保護ケースを用いた遊技機を提供することを一つの目的としている。
また、ＲＦＩＤを組み込まない封印シールを用いた場合においても、基板保護ケースを開放した場合には目視による破断部の確認が可能となり、しかも修復が困難となる程度に破断させることができる基板保護ケースの封印構造を提供することを他の目的としている。
【課題を解決するための手段】
【０００７】
上記目的を達成するため、請求項１の発明に係る基板保護ケースの封印構造は、電子部品を搭載した制御基板を間に挟んで収容する開閉可能な２つのケース片を有し、前記制御基板を一方のケース片により保持した状態で他方のケース片を該一方のケース片に対して開閉する基板保護ケースと、前記他方のケース片が開放されたときに破断するように接着される封印シールと、を備えた基板保護ケースの封印構造であって、前記封印シールは、一部を前記制御基板に接着されると共に、両ケース片の突き合わせ部から外部に引き出した他の部位を前記他方のケース片に接着されていることを特徴とする。
制御基板を保持した一方のケース片と、一方のケース片に対して開閉可能に構成された他方のケース片と、を有した基板保護ケースにおいて、制御基板と他方のケース片との間に跨って封印シールを接着したので、基板保護ケースを不正に開放した場合に封印シールを破断させることができる。このため、封印部に接着した封印シールが著しく破損されることとなり、復旧不能となり、且つ目視によって封印シールの破損の有無を知ることができる。
請求項２の発明に係る基板保護ケースの封印構造では、前記制御基板の面上は、搭載された電子部品を覆う電子部品カバーが固定されており、前記封印シールの一部を前記電子部品カバーに接着したことを特徴とする。
電子部品カバーにも封印シールの一部を接着することにより、基板保護ケースを開放した際のみならず、電子部品カバーを開放した際にも破断部が形成されることとなり、封印シールの修復がより困難となる。
【０００８】
請求項３の発明に係る基板保護ケースの封印構造では、前記一方のケース片は前記制御基板の電子部品搭載面側に位置し、前記他方のケース片は前記電子部品非搭載面側に位置し、前記封印シールの一端は前記電子部品搭載面に接着されると共に、前記封印シールの他端は前記制御基板及び前記他方のケース片の各端縁にて折り返されて前記他方のケース片の外側面に接着されていることを特徴とする。
請求項４の発明に係る基板保護ケースの封印構造では、前記他方のケース片は前記制御基板の電子部品搭載面側に位置し、前記制御基板を保持した前記一方のケース片は前記電子部品非搭載面側に位置し、前記封印シールの一端は前記電子部品搭載面に接着されると共に、前記両ケース片の突き合わせ部から外部に引き出した他端を前記他方のケース片の外面に接着されていることを特徴とする。
請求項５の発明に係る基板保護ケースの封印構造は、前記他方のケース片は前記制御基板の電子部品搭載面側に位置し、前記制御基板を保持した前記一方のケース片は前記電子部品非搭載面側に位置し、前記封印シールの一端は前記電子部品非搭載面に接着されると共に、前記両ケース片の突き合わせ部から外部に引き出した他端を前記他方のケース片の外面に接着されていることを特徴とする。
【０００９】
請求項６の発明に係る基板保護ケースの封印構造は、前記２つのケース片が開放された時に前記封印シールと当接した部位を破断させる前記制御基板の端縁、又は／及び、前記他方のケース片の端縁を、破断促進形状としたことを特徴とする。
破断部をより複雑な形状とすることにより、修復をより困難化させることが可能となる。
請求項７の発明に係る基板保護ケースの封印構造は、前記封印シールは、接着シートと、該接着シート面に固定されたＩＣチップ、及び該ＩＣチップから延びる導体パターンを含んだＲＦＩＤと、を有していることを特徴とする。
封印シールとして、ＲＦＩＤを組み込んだものを使用することにより、封印シールの破断時に、読み取り装置からＲＦＩＤに対して読み取り用の電磁波を照射した際のＲＦＩＤからの応答信号がないことによっても封印シールが破損されていることを的確に知ることができる。
請求項８の発明に係る基板保護ケースの封印構造は、前記２つのケース片が開放されたことによって前記封印シールが破断したときに前記ＲＦＩＤが破断するように構成したことを特徴とする。
【００１０】
請求項９の発明に係る基板保護ケースの封印構造は、前記一方のケース片に対して前記他方のケース片を、前記制御基板面と直交する方向へ移動させることにより、両ケース片は開閉可能に構成されていることを特徴とする。
請求項１０の発明に係る基板保護ケースの封印構造は、前記一方のケース片に対して前記他方のケース片を、前記制御基板と並行な方向へスライドさせることにより、両ケース片は開閉可能に構成されていることを特徴とする。
請求項１１の発明に係る基板保護ケースの封印構造は、前記一方のケース片に対して前記他方のケース片は回動軸を中心として開閉自在に軸支されていることを特徴とする。
請求項１２の発明に係る遊技機は、請求項１乃至１１の何れか一項に記載の基板保護ケースの封印構造を備えたことを特徴とする。
【発明の効果】
【００１１】
以上のように本発明によれば、基板保護ケースを不正に開放した場合に、基板保護ケース内に収容された制御基板と何れか一方のケース片との間に跨って接着された封印シールの外観（ＲＦＩＤを備えた封印シールの場合には及び封印シール上のＲＦＩＤ）を著しく破損せねばならないように構成したので、目視によって封印シールの破損の有無を知ることができるばかりでなく、読み取り装置からＲＦＩＤに対して読み取り用の電磁波を照射した際のＲＦＩＤからの応答信号がないことによっても封印シールが破損されていることを的確に知ることができる。
特に、外観上見やすい封印シールの特定部位に開放、破断した形跡を明確に残すように構成したので、読み取り装置を使用せずに外観から不正行為の形跡を確認することが可能となる。
また、ケース片を開放する際に封印シールと当接してその特定部位を破断させる制御基板端縁、或いはケース片端縁に破断促進部を設けたので、封印シールを著しく損傷させることが可能となり、封印シールを修復しようとしてもＲＦＩＤの通信機能を回復させることが困難となる。
封印シールとしてＲＦＩＤを有しない単なる接着シートを用いてもよく、この場合には封印シールの破断状態を視認することにより不正行為を知ることができる。
【発明を実施するための最良の形態】
【００１２】
以下、本発明を図面に示した実施の形態により詳細に説明する。
図１は本発明の基板保護ケースの外観構成を示す斜視図（透視図）であり、図２はその分解斜視図であり、図３は要部を断面で示した基板保護ケースの全体斜視図であり、図４（ａ）乃至（ｃ）は両ケース片を開放する手順を示した断面図であり、図５（ａ）及び（ｂ）は制御基板と下ケース片との間に接着した封印シールを基板保護ケースの開放動作に伴って破断させる手順を示す詳細な説明図であり、図５（ｃ）は封印シールの変形例を示す説明図であり、図５（ｄ）は他の実施形態の説明図であり、図６（ａ）及び（ｂ）は封印シールの破断手順を示す要部斜視図である。
【００１３】
基板保護ケース１は、ＲＯＭ５１を始めとした電子部品を搭載した制御基板（プリント基板）５０を内部に収容した状態でパチンコ遊技機等の遊技機の背面８０に台座８５を介して組み付けられる。
基板保護ケース１は、ＲＯＭ５１を搭載した制御基板（プリント基板）５０を間に挟んだ状態で内部に収容する透明な樹脂製の２つのケース片（下ケース片１０、上ケース片２０）から構成されている。本例では、制御基板５０は上ケース片２０に対して螺子止め固定されている。下ケース片１０は制御基板５０を間に挟んで上ケース片２０の開放部側に嵌合した状態で後述するカシメピンにより上ケース片に対して固定される。
基板保護ケース１の端縁に沿った適所には、カシメピン３ａを用いた締結穴３が配置され、締結穴内にカシメピンを打ち込むことにより両ケース片１０、２０は閉止状態でロックされる。締結穴３に打ち込まれたカシメピンを除去することによって両ケース片１０、２０は開閉、着脱可能な状態となる。
なお、台座８５は、遊技機本体の背面側に設けた遊技機側保持部８１に対して基板保護ケース１を取り付けるための連結手段であり、台座８５に設けたフック部８６を遊技機側保持部８１に設けた軸部８２に係合させることにより、基板保護ケース１は台座８５と一体的に軸部８２を中心として上下方向へ回動する。即ち、基板保護ケース１の下ケース片１０がこの台座８５により保持されるため、基板保護ケース１は遊技機側の軸部８２を中心として台座８５と共に上下方向へ回動する。
制御基板５０を収容した基板保護ケース１は、下ケース片１０を台座８５を介してパチンコ遊技機等の遊技盤の背面に添設させた状態で組み付けられるため、遊技盤の背面側から上ケース片２０を通して内部の制御基板面に搭載された電子部品を視認することができる。また、台座８５の上部に位置する軸部８２を中心として基板保護ケース１を上方に回動させることにより、透明な下ケース片１０の底面から基板保護ケース内部を確認することができる。
【００１４】
上記の如き構成を備えた基板保護ケース１を封印する手段として、封印シール３０が使用される。封印シール３０としては単なるシート状の接着シールであってもよいが、本例ではＲＦＩＤを組み込んだ封印シールを一例として説明する。
即ち、基板保護ケース１が図１、図３、図４（ａ）、図５（ａ）のように閉止状態にある時に、制御基板５０と下ケース片１０との間に跨るように封印シール３０を接着することにより、封印シール３０を破損せずには両ケース片を開放できないように構成されている。即ち、封印シール３０は、一端を制御基板５０の適所（例えば、配線パターン等の接着しにくい部位を回避した接着専用領域）に接着されると共に、両ケース片の外周縁１０ａ、２０ａの突き合わせ部２５（隙間）から外部に引き出した他端を下ケース片の適所（外面）に接着されている。このため、２つのケース片が開放されたときに封印シールは破断して制御基板５０側と下ケース片１０側に分離した状態となる。
【００１５】
図２に示すように封印シール３０は一面に接着層を有した紙等の破断し易い材質から成る接着シート３１と、接着シート３１の一面に固定されたＲＦＩＤ（例えば、ＩＣタグ等の非接触型の電波による識別手段）３５と、を備えている。ＲＦＩＤ３５は、電力生成回路、変復調回路、記憶回路、制御回路を含むチップ３６と、チップ３６から反対方向に延びる二本の導体パターン３７と、各導体パターン３７の先端に夫々接続されたアンテナ部３８と、を有している。本例の封印シール３０は矩形の接着シート３１の略中心部にチップ３６を配置すると共に、チップ３６から略対角線方向へ向けて各導体パターン３７を引き出している。
図示しない読み取り装置からＲＦＩＤ３５に向けて読み取り用の電磁波を照射すると、アンテナ部３８が電磁波を受信し、導体パターン３７を介してチップ３６に電磁波を供給する。この電磁波によりチップ３６内の電力生成回路が電磁誘導作用による起電力を生成し、この起電力により作動する制御回路によって記憶回路内に記憶された識別情報を読み出してアンテナ部から読み取り装置へ送信することにより識別情報の読取りが行われる。
【００１６】
ＲＦＩＤを構成する線状の導体パターン３７は接着シート３１の略対角線方向へ延びており、導体パターン３７が突き合わせ部２５と交差するように封印シール３０を接着しておくことにより、基板保護ケースが不正に開放された場合に導体パターンの一部が断線して記憶情報の読み出しを不可能とすることができる。
即ち、基板保護ケース１を開放するために制御基板５０を螺子止め固定した上ケース片２０に対して、下ケース片１０を図４（ｂ）（ｃ）、図５（ｂ）中に矢印で示した開放方向（制御基板面と直交する方向）へ移動させた際に、両ケース片１０、２０の端縁１０ａ、２０ａ同士の突き合わせ部２５が開放、離間することにより、封印シール３０は制御基板５０に接着された部位３０Ａと、下ケース片１０に接着された部位３０Ｂに破断、分離される。このため、接着シート３１と共にＲＦＩＤ３５の一部（チップ部３６や導体パターン３７）が破断（断線）して、ＲＦＩＤの通信機能が喪失されるように構成されている。ＲＦＩＤの通信機能が喪失されると、読み取り装置から電磁波を供給してもＲＦＩＤが作動せず、記憶された識別情報を読み出すことができなくなるため、基板保護ケースが不正に開放されたことを知ることができる。
【００１７】
しかし、実際には基板保護ケース１を不正に開放した際に二本の導体パターン３７のうちの一方のみが断線されたに過ぎない場合には、両ケース片２、１０を閉止状態に戻して破断した封印シール３０を修復することにより断線部が再接続により復旧して導通（読み取り装置との通信）を回復することが可能となることが判明した。
このような不具合に対処するために、本発明では、両ケース片を開放することによって破断する封印シールの破断部が下ケース片の端縁１０ａと上ケース片２０の端縁２０ａとの間に位置するように構成した。即ち、制御基板５０の端縁と下ケース片１０の端縁にＲＦＩＤの一部が位置するように封印シールを接着した場合には、不正に両ケース片を開放すると封印シール上のＲＦＩＤ３５が破断するため、不正行為者が不正行為の形跡を残さずに両ケース片を閉止するためには封印シールのＲＦＩＤを修復する必要があるが、本構成では、封印シールの破断部が基板保護ケースの外部に露出しておらず、両ケース片の端縁間（ケース片内部）に位置するため、断線したＲＦＩＤの導体の端部同士を再接合させて導通を確保する復旧作業（通信機能の回復）は極めて困難となる。
【００１８】
特に、基板保護ケースを開放してＲＯＭを交換する等の不正行為が遊技場の営業中に行われる場合には、基板保護ケースを開放してからＲＯＭを交換し、その後基板保護ケースを閉止して封印シールを補修するのに要する時間は僅かしかないため、完全な修復は極めて困難である。
そこで、例えば図５（ｃ）に示すように封印シールに設けたＲＦＩＤの導体パターン３７を湾曲（屈曲）させる等により制御基板、及びケース片の端縁で破断した際に導体パターンが複数箇所で破断するように構成する。
更に、図５（ｄ）に示すように封印シール３０が接着する制御基板５０の端縁、又は／及び、下ケース片の端縁１０ａにギザギザ状の破断促進形状４０を設けることにより、封印シールの破断部の形状を非直線状とすることができ、不正行為者による修復作業を極めて困難化することができる。この破断促進形状を構成するギザギザは、図中の制御基板５０の端縁のように制御基板の面方向に沿った凹凸としてもよいし、図中の下ケース片の端縁のようにケース片面と直交する方向へ突出する凸部から構成してもよい。
【００１９】
上記実施形態では、制御基板を固定した側の上ケース片２０を制御基板の電子部品搭載面側に配置し、下ケース片１０を電子部品非搭載面側に配置し、更に封印シール３０の一端は電子部品搭載面に接着すると共に、封印シールの他端は制御基板及び下ケース片１０の各端縁にて折り返して下ケース片の外側面に接着しているが、これは一例に過ぎず、封印シールの一端（一部）を制御基板に固定する一方で、封印シールの他端（他の部位）を他のケース片(制御基板を保持しない方のケース片)に固定した構成は全て本発明に含まれる。
即ち、図７（ａ）及び（ｂ）は本発明の他の実施形態に係る基板保護ケースの構成を示す断面図であり、この実施形態においては、制御基板５０を下ケース片１０に固定する一方で、下ケース片１０に対して上ケース片２０を開閉、着脱可能に構成している。
【００２０】
この実施形態では、上ケース片２０は制御基板５０の電子部品搭載面側に位置し、制御基板を保持した下ケース片１０は電子部品非搭載面側に位置しており、封印シール３０の一端は電子部品搭載面に接着されると共に、両ケース片の外周縁の突き合わせ部２５から外部に引き出した他端を上ケース片２０の外面に接着されている。
このため、両ケース片の開放により、両ケース片の突き合わせ部２５に位置する封印シール部分が破断することとなる。
なお、図５（ｄ）に示した如き破断促進形状を両ケース片の端縁、或いは制御基板の端縁に設けておくことにより、封印シールの破断を促進して復旧を困難化するように構成してもよい。
或いは、図８に示したように制御基板５０が下ケース片１０により固定されている場合に、封印シールの一端を制御基板５０の下面（下ケース片側）に接着すると共に、他端を両ケース片の端縁同士の突き合わせ部（隙間）から外部に引き出して上ケース片の外面に接着させるようにしてもよい。
【００２１】
次に、図９（ａ）（ｂ）及び（ｃ）は本発明の他の実施形態に係る基板保護ケースの構成、及び開放手順を示す断面図であり、図１０（ａ）及び（ｂ）は開放手順を示す要部拡大断面図であり、図１１（ａ）及び（ｂ）は要部構成を示す一部断面図である。
本実施形態においては、制御基板５０の面上には、搭載されたＲＯＭ（電子部品）５１を覆うＲＯＭカバー（電子部品カバー）５２が固定されており、封印シール３０の一部を電子部品カバー５２の適所に接着している。
ＲＯＭカバー５２は、ＲＯＭを不正に交換する行為を防ぐために制御基板面上に螺子等により固定される。本例では、封印シール３０の一部を制御基板面に接着すると共に、他部を下ケース片１０に接着する図１乃至図６の実施形態において、制御基板面に接着する封印シールの一部をＲＯＭカバー５２の一部（本例では裾部）に接着することにより、封印シールを破断することなくＲＯＭカバー５２を開放することができないように構成している。仮に、不正行為者が何らかの手段を用いて両ケース片を開放した際に封印シールが破断することを阻止したとしても（破断後の修復に成功したとしても）、ＲＯＭカバーを開放する際に封印シールが破断することにより修復が更に困難となり、不正行為の形跡が残されることとなる（図１０（ｂ）の破線の状態）。
両ケース片１０、２０を開放した場合には、図９乃至図１１に示すように制御基板と下ケースの端縁間で封印シールが破断するため不正行為の形跡が残される。
なお、封印シールの一部をＲＯＭカバーに接着する構成は、図７に示した実施形態のように封印シールの一端を制御基板に接着すると共に、他端を上ケース片２０に接着した構成にも適用することができる。
【００２２】
次に、上記実施形態では両ケース片１０、２０を制御基板５０の面と直交する方向へ開放する構成例を示したが、本発明の封印構造は、基板保護ケースの開放方向が制御基板の面と直交する場合に限らず、どのような開放方向を有した基板保護ケースに対しても適用することができる。
即ち、何れか一方のケース片に対して他方のケース片を、制御基板面と並行な方向へスライドさせることにより、両ケース片が開閉可能に構成されている基板保護ケースにも本発明の封印構造を適用することができる。
更に、一方のケース片に対して他方のケース片は回動軸を中心として開閉自在に軸支されている基板保護ケースにも適用することができる。具体的には、下ケース片１０の一端部に設けたヒンジ部により、上ケース片２０の一端部に設けた軸部を開閉自在に軸支した構成の基板保護ケースに適用することができる。
また、封印シールを貼る位置は、上記各実施形態では制御基板の長辺に沿った位置としたが、短辺であってもよい。
なお、使用する封印シールの形状、面積、接着シール上におけるＲＦＩＤの位置等は、接着対象物となる制御基板のレイアウト、各ケース片の形状等に応じて種々選定可能である。
【００２３】
以上のように本発明によれば、ＲＦＩＤ３５を組み込んだ封印シール３０によって封印された基板保護ケースが不正に開放されたことによって封印シールに含まれるＲＦＩＤが破断、断線した場合に、封印シールを修復しようとしてもＲＦＩＤの通信機能の回復を困難化することができる。
即ち、本発明では、封印シールの破断部分が両ケース片を閉止した際に両ケース片によって隠蔽される位置となるため、不正行為者が両ケース片を閉止する際に破断部を修復しようとしてもケース片の端縁が邪魔となって修復作業を実施することが困難となる。
また、基板保護ケースが不正に開放された場合には、封印シールが確実に破断状態となる。このため、封印シール、及び封印シール上のＲＦＩＤが著しく破損されることとなり、目視によって封印シールの破損の有無を知ることができるばかりでなく、読み取り装置からＲＦＩＤに対して読み取り用の電磁波を照射した際のＲＦＩＤからの応答信号がないことによっても封印シールが破損されていることを的確に知ることができる。
また、封印シールとしてＲＦＩＤを備えていない単なる接着シートを使用した場合においても、接着シートを修復不能となるように切断することができるので、本発明の基板保護ケースの不正開放の形跡を残すことができる。
本発明に係る基板保護ケース１は、パチンコ遊技機、スロットマシン等の遊技機に装備される制御基板を収容する手段として利用可能である。
【図面の簡単な説明】
【００２４】
【図１】本発明の基板保護ケースの外観構成を示す斜視図（透視図）である。
【図２】図１の分解斜視図である。
【図３】要部を断面で示した基板保護ケースの全体斜視図である。
【図４】（ａ）乃至（ｃ）は両ケース片を開放する手順を示した断面図である。
【図５】（ａ）及び（ｂ）は制御基板と下ケース片との間に接着した封印シールを基板保護ケースの開放動作に伴って破断させる手順を示す詳細な説明図であり、（ｃ）は封印シールの変形例を示す説明図であり、（ｄ）は他の実施形態の説明図である。
【図６】（ａ）及び（ｂ）は封印シールの破断手順を示す要部斜視図である。
【図７】（ａ）及び（ｂ）は本発明の他の実施形態に係る基板保護ケースの構成を示す断面図である。
【図８】図７の実施形態の変形例を示す要部断面図である。
【図９】（ａ）（ｂ）及び（ｃ）は本発明の他の実施形態に係る基板保護ケースの構成、及び開放手順を示す断面図である。
【図１０】（ａ）及び（ｂ）は開放手順を示す要部拡大断面図である。
【図１１】（ａ）及び（ｂ）は要部構成を示す一部断面図である。
【図１２】従来例に係る基板保護ケースの構成を示す斜視図である。
【図１３】従来の基板保護ケースの分解斜視図である。
【符号の説明】
【００２５】
１…基板保護ケース、２…上ケース片、３…締結穴、１０…下ケース片、１０ａ…外周縁、２０…上ケース片、２０ａ…端縁、２５…突き合わせ部、３０…封印シール、３１…接着シート、３５…ＲＦＩＤ、３６…チップ部、３７…導体パターン、３８…アンテナ部、４０…破断促進形状、５０…制御基板、５１…ＲＯＭ、５２…ＲＯＭカバー、８０…背面、８１…遊技機側保持部、８２…軸部、８５…台座、８６…フック部
【図１】
2010125266.tif 000003
【図２】
2010125266.tif 000004
【図３】
2010125266.tif 000005
【図４】
2010125266.tif 000006
【図５】
2010125266.tif 000007
【図６】
2010125266.tif 000008
【図７】
2010125266.tif 000009
【図８】
2010125266.tif 000010
【図９】
2010125266.tif 000011
【図１０】
2010125266.tif 000012
【図１１】
2010125266.tif 000013
【図１２】
2010125266.tif 000014
【図１３】
2010125266.tif 000015